(57)【要約】【課題】本発明は、後側から介助者が手を差し入れて清拭の介助をするためのスペースを十分に確保することができる簡易便器を提供することを課題とする。【解決手段】便器本体２の上面に載置した座板３を該便器本体２の後端両側から差し出されている枢着ピン１６を中心として後方に回動させて起立状態とし、該起立状態では該座板３の後縁両側にそれぞれ取り付けた枢着金具１１の取付け枢着部１４の前縁が該便器本体２の後端両側から差し出されている第一係止ピン１７にそれぞれ当接することによって該座板３は起立状態に支持され、該座板３を起立状態から上方に持ち上げると該枢着金具１１の取付け枢着部１４の先端が該第一係止ピン１７から外れて該座板３は後方へ回動させて排除状態とすることができる簡易便器１を提供する。【選択図】    図５
2006043309.tif 000002
【特許請求の範囲】
【請求項１】
便器本体の上面に板状部材を載置した簡易便器であって、該板状部材の後縁両側には腕部の一端から取付け固定部を屈曲形成するとともに他端から該取付け固定部と反対方向に取付け枢着部を屈曲形成した一対の枢着金具を該取付け固定部を介してそれぞれ取り付け、該枢着金具の取付け枢着部には長手方向に沿って長穴を設け、該長穴には該便器本体の後端両側から差し出されている枢着ピンを摺動可能に嵌合し、該板状部材を該枢着ピンを中心として後方に回動させて起立状態とし、該起立状態では該枢着金具の取付け枢着部の前縁が該便器本体の後部両側から差し出されている第一係止ピンにそれぞれ当接することによって該板状部材は起立状態に支持され、該板状部材を起立状態から上方に持ち上げると該枢着金具の取付け枢着部の先端が該第一係止ピンから外れて該板状部材は後方へ回動させて排除状態とすることができることを特徴とする簡易便器。
【請求項２】
該板状部材を後方へ回動させて排除状態にしたときに、該枢着金具の腕部の後縁が該便器本体の後部両側から差し出されている第二係止ピンにそれぞれ当接することによって該板状部材は排除状態に支持される請求項１に記載の簡易便器。
【請求項３】
該便器本体の後縁にはコの字形の背もたれが立設され、該板状部材は前後方向中央部で二つ折り可能にされ、該板状部材を二つ折りにして後方へ回動させたときに、該背もたれの内側を後方に通り抜けて起立状態となる請求項１または請求項２に記載の簡易便器。
【請求項４】
該板状部材は座板である請求項１〜請求項３のいずれかに記載の簡易便器。
【発明の詳細な説明】
【技術分野】
【０００１】
本発明は、主として高齢者や体の不自由な人が使用する簡易便器に関する。
【背景技術】
【０００２】
従来、用便する際に蓋の裏面が背中にあたることなく、背もたれに確実にもたれかかることができる簡易トイレとして、トイレ本体の後縁に沿って立設されている背もたれが略アーチ形とされており、便座を覆う蓋がトイレ本体の前後方向に複数に分割され、これらの分割体がヒンジを介して連結され、背もたれとトイレ本体との間の隙間を通り抜け可能な大きさに折り畳み自在とされているものが提供されている（特許文献１参照）。
また、便座に座って背中を背板部にもたれ掛けても便器蓋が邪魔になることがないポータブルトイレとして、便器蓋は、中間位置で二つに折り畳める折り畳み構造を備えており、二つ折りにした状態で後方に回動させて開いた状態とするときに、背もたれ部の背板部の下方部を通過して、背もたれ部の後方に位置するように構成されたものが提供されている（特許文献２参照）。
【０００３】
【特許文献１】特開平１０−５７２７２号公報（第２−３頁、第１図）
【特許文献２】特開２００４−９７３４１号公報（第４−７頁、第１図）
【発明の開示】
【発明が解決しようとする課題】
【０００４】
一般に、使用者（特に高齢者や体の不自由な人など）が用便後に自ら尻を清拭することができない場合には、介助者が清拭の介助をする必要がある。しかしながら上記従来の構成では、後方へ跳ね上げた二つ折りの蓋（便器蓋）が邪魔になって、後側から介助者が手を差し入れて清拭の介助をすることができないという問題があり、この場合、介助者は前側または横側から介助せざるを得ず、使用者（被介助者）と介助者の双方の身体的・精神的な負担が大きいという問題があった。
【課題を解決するための手段】
【０００５】
本発明は上記従来の課題を解決するための手段として、便器本体２の上面に板状部材３を載置した簡易便器１であって、該板状部材３の後縁両側には腕部１２の一端から取付け固定部１３を屈曲形成するとともに他端から該取付け固定部１３と反対方向に取付け枢着部１４を屈曲形成した一対の枢着金具１１を該取付け固定部１３を介してそれぞれ取り付け、該枢着金具１１の取付け枢着部１４には長手方向に沿って長穴１５を設け、該長穴１５には該便器本体２の後端両側から差し出されている枢着ピン１６を摺動可能に嵌合し、該板状部材３を該枢着ピン１６を中心として後方に回動させて起立状態とし、該起立状態では該枢着金具１１の取付け枢着部１４の前縁が該便器本体２の後部両側から差し出されている第一係止ピン１７にそれぞれ当接することによって該板状部材３は起立状態に支持され、該板状部材３を起立状態から上方に持ち上げると該枢着金具１１の取付け枢着部１４の先端が該第一係止ピン１７から外れて該板状部材３は後方へ回動させて排除状態とすることができる簡易便器１を提供するものである。
該板状部材３を後方へ回動させて排除状態にしたときに、該枢着金具１１の腕部１２の後縁が該便器本体２の後部両側から差し出されている第二係止ピン１８にそれぞれ当接することによって該板状部材３は排除状態に支持されることが望ましい。
また、該便器本体２の後縁にはコの字形の背もたれ４が立設され、該板状部材３は前後方向中央部で二つ折り可能にされ、該板状部材３を二つ折りにして後方へ回動させたときに、該背もたれ４の内側を後方に通り抜けて起立状態となることが望ましい。
この場合、該板状部材３は座板であることが望ましい。
【発明の効果】
【０００６】
本発明の簡易便器１では、該板状部材３を該枢着ピン１６を中心として後方に回動させて起立状態とすることができるため、該板状部材３の開閉を片手でも容易に行うことができる。
その上、該板状部材３を起立状態から上方に持ち上げると該枢着金具１１の取付け枢着部１４の先端が該第一係止ピン１７から外れて該板状部材３は後方へ回動させて排除状態とすることができるため、後側から介助者が手を差し入れて清拭の介助をするためのスペースを十分に確保することができる。また、該板状部材３を起立状態から上方に持ち上げて後方へ回動させて排除状態とする作業は、片手でも容易に行うことができる。
したがって本発明では、使用者（被介助者）と介助者の双方の身体的・精神的な負担を軽減することが可能となる。
【発明を実施するための最良の形態】
【０００７】
本発明を図１〜図５に示す一実施例によって説明する。
図１および図２に示すように、木製の簡易便器１は、中央に開口部を有する便器本体２と、該開口部に懸架される便容器（図示せず）と、該便器本体２の上面に跳ね上げ可能に載置される便座（図示せず）と、該便器本体２の上面に載置される板状部材である座板３と、該便器本体２の後縁から立設されるコの字形の背もたれ４と、該便器本体２の左右両側に取り付けられる左右一対の肘掛け５と、該便器本体２の左右両側下部に取り付けられる左右一対の脚部ユニット６とを有している。
【０００８】
該座板３は、前後方向の略中央部において前側部分７と後側部分８とに二つ折り可能とされており、該座部の後側部分８の後縁部は、該便器本体２の後縁部に枢着されて跳ね上げ可能とされている（図３参照）。
また、該座板３の後側部分８の上面には、該座板３を二つ折りにして跳ね上げる際に後方に引き上げるための後側ベルト９が取り付けられており、一方、該座板３の前側部分７の上面には、跳ね上げた座板３を引き倒す際に前方に引くための前側ベルト１０が取り付けられている。
なお本実施例では、該座板３は、該便器本体２の上面において該便座を覆うように載置されており、便蓋を兼ねている。
【０００９】
該座板３の後縁両側には左右一対の枢着金具１１がそれぞれ取り付けられている。
該枢着金具１１は、腕部１２と、該腕部１２の一端から屈曲形成された取付け固定部１３と、該腕部１２の他端から該取付け固定部１３と反対方向に屈曲形成された取付け枢着部１４とを有している。
該取付け枢着部１４の中央部には長手方向に沿って長穴１５が設けられており、一方、該便器本体２の後端両側からは内側に向けて枢着ピン１６が差し出されており、該取付け枢着部１４の長穴１５には該便器本体２の枢着ピン１６が摺動可能に嵌合している。
【００１０】
また、該便器本体２の後端両側からは、該座板３を起立状態としたときに該枢着金具１１の取付け枢着部１４の前縁が当接する第一係止ピン１７と、該座板３を排除状態としたときに該枢着金具１１の腕部１２の後縁が当接する第二係止ピン１８がそれぞれ差し出されている。
【００１１】
該背もたれ４は、便器本体２の後縁両側から一体的に立設される左右一対の背もたれ枠１９と、該背もたれ枠１９の上端部に差し渡される背もたれ本体２０とからなる。
【００１２】
該肘掛け５は、肘掛け部材２１と、該肘掛け部材２１の前側下部から垂設される支柱部材２２とからなり、該肘掛け部材２１の後部は背もたれ枠１９の側面に固定ボルト２３によってねじ止め固定されており、該支柱部材２２の下部は便器本体２の側面に固定ボルト２４によってねじ止め固定されている。
該背もたれ枠１９の側面には四個のねじ穴２５が縦列して設けられている。一方、該便器本体２の側面には一個のねじ穴（図示せず）が設けられており、該支柱部材２２の下部には四個のねじ挿通孔２６が縦列して設けられている。そして、該四個のねじ穴２５のうちの一つを選択して該肘掛け部材２１の固定ボルト２３を螺着するとともに、該四個のねじ挿通孔２６のうちの一つを選択して該支柱部材２２の固定ボルト２４を挿通し、該固定ボルト２４を該便器本体２のねじ穴に螺着することによって、該肘掛け５は四段階に高さ調節可能とされている。
【００１３】
該脚部ユニット６は、底板２７と、該底板２７から立設される前後一対の脚板２８とを有しており、該後側の脚部の後縁内側部分には移動用キャスター２９が取付けられている。
該脚板２８の側面中央部には縦方向にねじ挿通スリット３０が設けられており、該便器本体２の内側下部の側面には埋め込みナット（図示せず）が設けられており、所望の高さ位置に高さ調節した状態で該脚板２８の固定ボルト３１をねじ挿通スリット３０に挿通し、該固定ボルト３１を該便器本体２の埋め込みナットに螺着することによって、該脚部ユニット６は無段階に高さ調節可能とされている。
【００１４】
上記の簡易便器１の座板３を跳ね上げて起立状態とする場合には、図３に示すように、該座板３の後側部分８の後側ベルト９を後方に引き上げて、該座板３を該枢着ピン１６を中心として後方に回動させ、該座板３を二つ折りにして該背もたれ４の内側を後方に通り抜けさせて起立状態とする。
このように座板３を起立状態としたときには、該枢着金具１１の取付け枢着部１４の前縁は該便器本体２の後部両側から差し出されている第一係止ピン１７にそれぞれ当接して、該座板３は起立状態で安定に支持される。
【００１５】
上記の簡易便器１の座板３を排除状態とする場合には、まず、図４に示すように、該座板３を起立状態から上方に持ち上げて、該便器本体２の枢着ピン１６を該取付け枢着部１４の長穴１５内で摺動させるとともに、該枢着金具１１の取り付け枢着部１４の先端を該第一係止ピン１７から外した後に、図５に示すように、該座板３を更に後方に回動させて排除状態とする。
このように座板３を排除状態としたときには、該枢着金具１１の腕部１２の後縁は該便器本体２の後部両側から差し出されている第二係止ピン１８にそれぞれ当接して、該座板３は排除状態で安定に支持される。
【００１６】
上記のように、該座板３を該枢着ピン１６を中心として後方に回動させて起立状態とすることができるため、該座板３の開閉を片手でも容易に行うことができる。
その上、該座板３を起立状態から上方に持ち上げると該枢着金具１１の取付け枢着部１４の先端が該第一係止ピン１７から外れて該座板３は後方へ回動させて排除状態とすることができるため、後側から介助者が手を差し入れて清拭の介助をするためのスペースを十分に確保することができる。また、該座板３を起立状態から上方に持ち上げて後方へ回動させて排除状態とする作業は、片手でも容易に行うことができる。
したがって本発明では、使用者（被介助者）と介助者の双方の身体的・精神的な負担を軽減することが可能となる。
【００１７】
該座板３を後方へ回動させて排除状態にしたときに、該枢着金具１１の腕部１２の後縁が該便器本体２の後部両側から差し出されている第二係止ピン１８にそれぞれ当接することによって該座板３は排除状態に支持されるので、介助者は後側から手を差し入れて清拭の介助を容易に行うことができる。
【００１８】
また、該便器本体２の後縁にコの字形の背もたれ４が立設され、該座板３が前後方向中央部で二つ折り可能にされ、該座板３を二つ折りにして後方へ回動させたときに、該背もたれ４の内側を後方に通り抜けて起立状態となるので、使用者が背もたれ４を使用する際に起立状態とした座板３が干渉することがない。
【００１９】
以上、本発明の実施の形態を実施例により説明したが、本発明の範囲はこれらに限定されるものではなく、請求項に記載された範囲内において目的に応じて変更・変形することが可能である。
例えば、本実施例では、便器本体２の上面に載置される板状部材３として座板の場合を例示したが、本実施例以外、板状部材３は便蓋であってもよい。
【産業上の利用可能性】
【００２０】
本発明は、後側から介助者が手を差し入れて清拭の介助をするためのスペースを十分に確保することができる簡易便器として、産業上利用することが出来る。
【図面の簡単な説明】
【００２１】
【図１】簡易便器の斜視図である。
【図２】簡易便器の説明側断面図である。
【図３】簡易便器（座板起立状態）の説明側断面図である。
【図４】簡易便器（座板持ち上げ状態）の説明側断面図である。
【図５】簡易便器（座板排除状態）の説明側断面図である。
【符号の説明】
【００２２】
１  簡易便器
２  便器本体
３  板状部材（座板）
４  背もたれ
１１  枢着金具
１２  腕部
１３  取付け固定部
１４  取付け枢着部
１５  長穴
１６  枢着ピン
１７  第一係止ピン
１８  第二係止ピン
【図１】
2006043309.tif 000003
【図２】
2006043309.tif 000004
【図３】
2006043309.tif 000005
【図４】
2006043309.tif 000006
【図５】
2006043309.tif 000007